(57)【要約】  輻射熱反射機能付防水シート【課題】従来の建築物の屋根用防水シートは、遮熱および断熱にはほとんど寄与しておらず、アルミニウム箔等の輻射熱反射作用を利用するために防水シートの上にアルミニウム箔を敷きこんだり、箔とシートを一体化したものを使用すると滑りやすく、屋根の上での作業上危険であり、重量の増加による施工性の悪化を招く。【解決手段】アルミニウム箔の反射材の片面に、滑り止め機能を有した補強材を貼り合わせたシートを基材とし、そのアルミニウム箔側表面に、樹脂系塗料をロータリースクリーンにより格子状、ストライプ状あるいはドット状にコーティングし、表裏ともに滑り止め機能を付加したことを特徴とするシートを提供する。【選択図】図１
2005061146.tif 000002
【特許請求の範囲】
【請求項１】
アルミニウム箔の反射材の片面に、滑り止め機能を有した補強材を貼り合わせたシートを基材とし、そのアルミニウム箔表面に、樹脂系塗料をロータリースクリーンにより格子状、ストライプ状あるいはドット状にコーティングし、表裏ともに滑り止め機能を付加した輻射熱反射機能付き防水シート。
【請求項２】
滑り止め機能を有した補強材が、和紙、混紗和紙、耐水対油紙、不織布、アスファルトルーフィング材、ゴム化アスファルトルーフィング材の請求項１記載の輻射熱反射機能付き防水シート。
【発明の詳細な説明】
【技術分野】
【０００１】
本発明は、防水シートに関するものである。
【背景技術】
【０００２】
一般に建築物の屋根用防水シートに用いられる材料としては、アスファルト系ルーフィング、ゴム化アスファルト系ルーフィングが使用されている。これらのシートは0.5〜2mm程度の厚みのもので、これらを使用しても遮熱及び断熱にはほとんど寄与しない。
アルミニウムの輻射熱反射作用を利用するためにアルミニウム箔を防水シートの上に施工しようとしてもアルミニウム箔の強度を保とうとするためにアルミ箔が厚くなり、現場でのカットなどの加工性の悪化や重量の増加による施工性の悪化、材料コストの増大を招く。コスト、重量の面から、プラスティックフィルムにアルミニウム蒸着を施してもアルミニウム箔ほどの輻射熱反射作用は発揮されない。
【０００３】
また、この発明に関連する先行技術としてアルミニウム箔を透湿防水紙と一体化したものが上げられるが、アルミニウム箔そのものは摩擦係数が小さいために滑りやすく、透湿防水紙も一般的に摩擦係数が小さいため屋根の上の作業を行なう上で大変危険である。（例えば特許文献１参照）
【特許文献１】特開平５−７９１３０
【発明の開示】
【発明が解決しようとする課題】
【０００４】
本発明は、従来技術が有していた前述の欠点を解決しようとするものであり、屋根面での遮熱性と施工性、作業安全性の向上を目的とし、尚且つ材料コストを下げた輻射熱反射機能付き防水シートを提供することにある。
【課題を解決するための手段】
【０００５】
本発明はアルミニウム箔の反射材の片面に、滑り止め機能を有した補強材を貼り合わせたシートを基材とし、そのアルミニウム箔側表面に、樹脂系塗料をロータリースクリーンにより格子状、ストライプ状あるいはドット状にコーティングし、表裏ともに滑り止め機能を付加することにより課題を解決するための手段に記した目的を達成しうることを見出してなされたものである。
【０００６】
すなわち、請求項1にかかる発明は、アルミニウム箔の片面に、滑り止め機能を有した補強材を貼り合わせたシートを基材とし、そのアルミニウム箔表面に、樹脂系塗料をロータリースクリーンにより格子状、ストライプ状あるいはドット状にコーティングし、表裏ともに滑り止め機能を付加した輻射熱反射機能付き防水シートであり、請求項2にかかる発明は、滑り止め機能を有した補強材が、和紙、混紗和紙、耐水対油紙、不織布、アスファルトルーフィング材、ゴム化アスファルトルーフィング材の請求項１記載の輻射熱反射機能付き防水シートである。
【発明の効果】
【０００７】
本発明の反射・防水シートを例えば（図２） に示すように用いることにより、夏季においては日射によって温められた屋根面からの熱が室内側に流入することを効果的に遮断することができる。屋根瓦のほとんどのものは、その直下にあるアスファル系トルーフィング等との間に（図２） ５のような空気層（隙間）ができる形で設置されるため、日射によって暖められた熱の大半はその下のアスファルト系ルーフィング等へ対流と熱輻射の原理で伝わっている。そこでアルミニウムの輻射熱反射作用に着目し、その輻射熱反射作用を利用した本発明によるシートを瓦の下に空気層を作るように敷き込み、瓦を通して輻射で伝わる熱を反射することで小屋裏および室内への熱の流入を押さえ、温度上昇を抑制する効果がある。また、冬季や夜間においては室内で暖めた熱を放射されにくくするため、従来アスファルト系ルーフィング等だけでは得られなかった断熱効果を得ることが出来、室内の温度を一定に保つことができる。また両面に施された滑り止め加工により施工時の安全性の確保することができる。
【発明を実施するための最良の形態】
【０００８】
本発明において（図1) 2で示す基材の反射材としては、アルミニウム箔が上げられる。ここで使用されるアルミニウム箔の厚さは、0.004〜0.03mm程度が好ましく、これより薄いと強度が足りず、これより厚いと、しなやかさが失われると同時に重量が重くなり、現場でのカットなどの加工性や敷き込み時の施工性が悪く、製作コストも増大する。
【０００９】
（図1） 3で示す基材の補強材としては、例えば、紙または不織布、アスファルト系フェルト、ゴム化アスファルト系フェルト等が上げられる。紙としては、例えば、和紙、混紗和紙等が上げられる。不織布としては、例えば、湿式、乾式、スパンボンド式等いずれも使用可能で、その材質としてはポリアマイド、ポリエチレンタフレート、レーヨン等様々なものが上げられるが、ポリエステル系及びナイロン系のものが適している。使用する紙または不織布は強度、施工性を考慮し、10〜200ｇ／ｍ２のものが好ましく、耐水性、耐油性を付与させたものが好ましい。
【００１０】
（図1) 2で示す基材の反射材であるアルミニウム箔と（図1) 3で示す補強材である紙もしくは不織布は、ドライラミネーションにより接着させる。使用する接着剤としては2液反応型ウレタン系接着剤が耐候性に優れているため好ましい。
【００１１】
反射材と補強材からなる基材の反射材側であるアルミニウム箔側表面に、（図1) 1で示すように樹脂系塗料をロータリースクリーンにより格子状、ストライプ状あるいはドット状にコーティングすることで滑り止め機能を付加する。滑り止めコーティングはシート面積のおよそ20％以下程度が好ましく、2％未満では、十分な滑り止め効果が得られなくなるので好ましくなく、20％を超えると輻射熱の反射率が低下し断熱性が低下するので好ましくない。
【図面の簡単な説明】
【００１２】
【図１】本発明の輻射熱反射機能付防水シートの断面図を示す。
【図２】本発明の輻射熱反射機能付防水シートの施工断面図を示す。
【符号の説明】
【００１３】
１．滑り止めコーティング（樹脂塗料）
２．アルミニウム箔
３．不織布または紙
４．屋根瓦
５．空気層（隙間）
６．本発明の輻射熱反射機能付防水シート
７．瓦棒
８．アスファルト系ルーフィング等
９．野地板
１０．垂木
【図１】
2005061146.tif 000003
【図２】
2005061146.tif 000004